(57)【要約】【課題】遮断器を集電器よりボックス本体の開口寄りに配設して、集電器の端子部を遮断器で覆って、遮断操作時における使用者と端子部の接触をなくし、「集電電圧の高圧化」と「空間利用効率の向上」を両立する。【解決手段】電機器２を収容するボックス本体３と、ボックス本体３前面の開口３ａを開閉する回動自在なボックス扉４を有した収容箱である。電機器２は、当該収容箱１外における複数の電源装置Ｄからの電力を端子部５ａを介して集める集電器５と、集電器５で集めた電力の送電を遮断可能な遮断器６を含み、遮断器６を集電器５よりボックス本体３の開口３ａ寄りに配設して、集電器５の端子部５ａが前面視で遮断器６に覆われている。【選択図】図１
2015159673.tif 000002
【特許請求の範囲】
【請求項１】
電機器（２）を収容するボックス本体（３）と、このボックス本体（３）前面の開口（３ａ）を開閉する回動自在なボックス扉（４）を有した収容箱であって、
前記電機器（２）は、当該収容箱外における複数の電源装置（Ｄ）からの電力を端子部（５ａ）を介して集める集電器（５）と、この集電器（５）で集めた電力の送電を遮断可能な遮断器（６）を含み、
この遮断器（６）を集電器（５）よりボックス本体（３）の開口（３ａ）寄りに配設して、前記集電器（５）の端子部（５ａ）が前面視で遮断器（６）に覆われていることを特徴とする収容箱。
【請求項２】
前記ボックス本体（３）の開口（３ａ）の上方に固定され且つ略水平方向に延びる回動軸体（７）を介して、前記ボックス扉（４）が回動自在に取り付けられ、
前記ボックス本体（３）は、その前面に開口（３ａ）がある有底で且つ略水平方向の長さが略鉛直方向の長さより長い横長な略直方体状に形成され、
前記ボックス本体（３）の上面部材（３５）内面側に、前記電源装置（Ｄ）からの電力の逆流を防止する逆流防止ダイオード（８）が設けられていることを特徴とする請求項１に記載の収容箱。
【請求項３】
前記ボックス本体（３）の上面部材（３５）に、前記逆流防止ダイオード（８）の少なくとも前方側と下方側を覆うカバー体（９）を配設していることを特徴とする請求項２に記載の収容箱。
【発明の詳細な説明】
【技術分野】
【０００１】
本発明は、電機器を収容するボックス本体と、このボックス本体前面の開口を開閉する回動自在なボックス扉を有していて、太陽光発電プラントなどに用いられる収容箱（接続箱等）に関する。
【背景技術】
【０００２】
従来、ケース内に逆流防止ダイオード、直流開閉器等が組み込まれた太陽光発電用接続箱が知られている（特許文献１参照）。
この太陽光発電用接続箱は、ケース内のケース背板上には、前記開閉器が組み付けられた基板をネジ止めするための雌ネジ体が突起形成されると共に、前記逆流防止ダイオードを組み付けた放熱板を密着させる平坦部を有し、前記放熱板は、前記雌ネジ体に係合する複数の係合部を有すると共に、前記逆流防止ダイオードを組み付けた状態で平坦な裏面を備え、前記雌ネジ体を介してケース背板上に取り付けた基板と前記雌ネジ体に係合した状態で前記平坦部に配置された前記放熱板とは重なりエリアを有し、前記基板の前記重なりエリアの適宜部位には前記放熱板を前記ケース背板へ押圧する押圧部が形成され、前記基板の前記雌ネジ体へのネジ止めにより、前記放熱板が前記ケース背板に密着する。
【先行技術文献】
【特許文献】
【０００３】
【特許文献１】特開２０１２−２４３８６７号公報
【発明の概要】
【発明が解決しようとする課題】
【０００４】
しかしながら、特許文献１に記載された太陽光発電用接続箱は、端子台が、直流開閉器のすぐそばで、基板にネジ止めして組み付けられただけで、端子が露出している（特許文献１の図１、２）。
このように露出した端子台では、開閉操作をする際、使用者が端子に接触する可能性があり、この可能性のため、端子台に集電する電圧を高圧にすることが出来なかった。
【０００５】
本発明は、このような点に鑑み、遮断器を集電器よりボックス本体の開口寄りに配設して、集電器の端子部を遮断器で覆うことで、遮断操作時に、使用者が端子部に接触する可能性をなくし、高電圧を集電可能とした収容箱を提供することを目的とする。
【課題を解決するための手段】
【０００６】
本発明に係る収容箱１は、電機器２を収容するボックス本体３と、このボックス本体３前面の開口３ａを開閉する回動自在なボックス扉４を有した収容箱であって、前記電機器２は、当該収容箱外における複数の電源装置Ｄからの電力を端子部５ａを介して集める集電器５と、この集電器５で集めた電力の送電を遮断可能な遮断器６を含み、この遮断器６を集電器５よりボックス本体３の開口３ａ寄りに配設して、前記集電器５の端子部５ａが前面視で遮断器６に覆われていることを第１の特徴とする。
【０００７】
本発明に係る収容箱１の第２の特徴は、上記第１の特徴に加えて、前記ボックス本体３の開口３ａの上方に固定され且つ略水平方向に延びる回動軸体７を介して、前記ボックス扉４が回動自在に取り付けられ、前記ボックス本体３は、その前面に開口３ａがある有底で且つ略水平方向の長さが略鉛直方向の長さより長い横長な略直方体状に形成され、前記ボックス本体３の上面部材３５内面側に、前記電源装置Ｄからの電力の逆流を防止する逆流防止ダイオード８が設けられている点にある。
【０００８】
本発明に係る収容箱１の第３の特徴は、上記第２の特徴に加えて、前記ボックス本体３の上面部材３５に、前記逆流防止ダイオード８の少なくとも前方側と下方側を覆うカバー体９を配設している点にある。
【０００９】
これらの特徴により、遮断器６を集電器５よりボックス本体３の開口３ａ寄りに配設して、集電器５の端子部５ａが前面視で遮断器６で覆われている状態とすることで、端子部５ａが露出することなく、遮断操作などをする際、使用者が集電器５の端子部５ａに接触する可能性をなくすことが出来、集電する電圧の高圧化を、感電の怖れなく実現できる（「集電電圧の高圧化」）。
これに加えて、遮断器６を集電器５よりボックス本体３の開口３ａ寄りに配設することで、特許文献１の太陽光発電用接続箱などのように、端子台をはじめ直流開閉器や逆流防止ダイオード等の各電機器を、それぞれ、基板等の後面側に配設しただけ（つまり、各機器から扉の背面までの空間は利用されていなかった（特許文献１の図３、４））の場合よりも、収容箱１内の空間を無駄なく利用できる（「空間利用効率の向上」）と同時に、後面部材３４等が不必要に大きくならない（「後面部材・ボックス扉の小型化」）。
【００１０】
尚、本発明における「前後」とは、ボックス本体３における開口３ａ側を「前」とし、開口３ａから遠ざかる側を「後」とする。
又、本発明における「上下」とは、収容箱１を設置した際に、物体が落ちる方向（地球に近づく側）を「下」とし、物体が落ちる方向とは反対の方向（地球から遠ざかる側）を「上」とする。
更に、本発明における「左右」とは、ボックス本体３における「後」から「前」へ向いた時の左手側を「左」とし、「後」から「前」へ向いた時の右手側を「右」とする。
【００１１】
又、ボックス扉４を上開きとし、横長な略直方体状のボックス本体３の上面部材３５内面側に逆流防止ダイオード８を設けることで、この逆流防止ダイオード８が熱を帯びても、収容箱１内では、熱は上面部材３５付近に留まったままで、これより下方に位置する集電器５や遮断器６等の他の電機器２に熱が伝わることを抑制できる。
これに加えて、仮に、逆流防止ダイオード８が熱を帯び、上面部材３５が熱くなったとしても、使用者が近づく際は、上面部材３５は、上開きしたボックス扉４の更に奥手側に位置し、使用者が触れる可能性を低減できる。
【００１２】
更に、逆流防止ダイオード８を覆うカバー体９を設けることで、使用者が遮断操作等をしている際にあっても、使用者が、上面部材３５や逆流防止ダイオード８に内面側から触れる可能性を、更に低減できる。
【発明の効果】
【００１３】
本発明に係る収容箱によると、遮断器を集電器よりボックス本体の開口寄りに配設して、集電器の端子部を遮断器で覆って、遮断操作時に使用者が端子部に接触する可能性をなくし、「集電電圧の高圧化」が図れると同時に、「空間利用効率の向上」を実現する。
【図面の簡単な説明】
【００１４】
【図１】本発明に係る収容箱を示す側面図である。
【図２】収容箱を示す斜視図である。
【図３】ボックス扉を開いた収容箱を示す正面図（前面図）である。
【図４】収容箱に収容される集電器を露出させた状態を示す正面図（前面図）である。
【図５】収容箱の縦板体と左右の横板体を示す斜視図である。
【図６】収容箱の縦板体と左右の横板体を示す平面図である。
【図７】ボックス本体の内底面とシール面（下周面）を示す斜視図である。
【図８】収容箱を用いた太陽光発電プラントを示す概要図である。
【発明を実施するための形態】
【００１５】
以下、本発明の実施形態を、図面を参照して説明する。
＜全体構成＞
図１〜８に示されたように、本発明に係る収容箱１は、電機器２を収容する箱体である。
この収容箱１に収容された電機器２は、太陽光発電プラントＰで用いられる機器でも良く、例えば、太陽光発電プラントＰにおける太陽電池で発電される電力を所定個数ごとにまとめて、配電盤Ｈへ送電するための機器や、このほか風力、水力、波力等によって回転されるモータ等の発電機からの電力を配電盤に送電する機器であっても構わない。
そこで、上述した太陽光発電プラントＰを例にとって、収容箱１の外部にある電源装置Ｄについて、以下に述べる。
【００１６】
＜電源装置Ｄ（太陽光発電プラントＰ）＞
図８に示したように、電源装置Ｄは、太陽光発電プラントＰにおいては、太陽電池に相当し、この電源装置（太陽電池）Ｄは、複数個（例えば、５〜２０枚）が直列に接続されて太陽電池ストリングＳを構成する。
個々の太陽電池Ｄは、光が照射されることによって、正極（＋極）と負極（−極）の間に直流電力を発生し、発生する電力の平均は、約１００〜３００Ｗ（例えば、２５０Ｗ）である。
太陽電池Ｄの形状は、特に限定はないが、例えば、パネル状であっても良い。
【００１７】
このような太陽電池Ｄが接続された太陽電池ストリングＳは、複数本（例えば、５〜２０本）ごとに接続箱に並列に接続されているため、それぞれの太陽電池ストリングＳの電力出力端（＋極）とグランド端（−極）の間の電圧は、同一となり、上述したように、約０．５〜６ｋＷである。
本発明の収容箱１は、太陽光発電プラントＰであれば、上述した接続箱に相当する。
【００１８】
１個の収容箱（接続箱）１に対しては、複数本の太陽電池ストリングＳの電流が流れ込むため、この接続箱１に集まる電力は、約２．５〜１５０ｋＷ（例えば、接続箱１に、出力電力が３．５ｋＷの太陽電池ストリングＳを、６本接続していれば２１ｋＷ、１２本接続していれば４２ｋＷであり、又、出力電力が２１ｋＷの太陽電池ストリングＳを、５本接続していれば１０５ｋＷ）である。
ここで、出力電力が１０５ｋＷの接続箱１の場合、例えば、流れる電流が１００Ａであれば、接続箱１内の集電器５には、１０００Ｖ以上の高電圧がかかることとなる。
【００１９】
又、接続箱１には、各太陽電池ストリングＳが、後述する逆流防止用ダイオード８を介して、接続されている。
このような接続箱１は、各太陽電池Ｄ（太陽電池ストリングＳ）から集電した電力を配電盤Ｈへ送電する。この配電盤Ｈは、電柱等を末端とする配電網Ｇに配電ケーブルＫを介して接続している。
尚、１台の配電盤Ｈに対して、複数個（例えば、１０〜４０個）の接続箱１が接続されている。
【００２０】
配電盤Ｈは、太陽電池Ｄからの直流電流を交流電流に変換できるのであれば、何れの構成でも良いが、例えば、盤筐体Ｈ１と、この盤筐体Ｈ１外にある接続箱１（太陽電池Ｄ）からの直流電流を集める集電部Ｈ２と、この集電部Ｈ２を経た直流電流を低交流電流に変える変換部（パワーコンディショナ（パワコン、ＰＣＳ））Ｈ３と、このパワコンＨ３からの低交流電流をより高圧な高交流電流に変える変圧器Ｈ４と、この変圧器Ｈ４からの高交流電流を盤筐体Ｈ１外にある配電網Ｇ等へ送電する送電部（送電盤）Ｈ５などを有している。
又、配電盤Ｈは、日射強度を測定する日射計、気温を測定する温度センサ、そして、上述したパワコンＨ３や、日射計、温度センサ等に電流を供給する補機を有していても良い（日射計、温度センサ、補機は、図示省略）。
上述した配電盤Ｈ等も有した太陽光発電プラントＰで接続箱として用いられる収容箱１の形状・構成等について、以下に詳解する。
【００２１】
＜収容箱１、電機器２＞
図１〜７に示したように、収容箱１は、電機器２を収容するボックス本体３と、ボックス本体３前面の開口３ａを開閉する回動自在なボックス扉４を有している。
又、収容箱１は、ボックス本体３にボックス扉４を回動自在に取り付ける回動軸体７や、ボックス本体３の開口３ａをボックス扉４で閉じた状態で保持するロック手段２１、ボックス本体３の開口３ａを開いた際に、ボックス扉４の開いた状態を支持する支持具２２も有している。
【００２２】
この収容箱１に収容された電機器２は、収容箱１の外部にある複数の電源装置Ｄからの電力を集める集電器５と、この集電器５で集めた電力の送電を遮断可能な遮断器６を含んでいる。
又、収容箱１に収容される電機器２には、逆流防止ダイオード８や、各電源装置Ｄからの電力を開閉可能な開閉器２３や、落雷によるサージ電圧を逃がす避雷器２４が含まれていても構わない。
電機器２は、集電器５や遮断器６、逆流防止ダイオード８の他に、何れの機械・器具を含んでいても良いが、例えば、ヒューズ、リレー（継電器）、ケーブル（配線コード）、コネクタ等の電気機器や、センサ（電流計、電圧計）、ＣＰＵ等の電子機器などであっても構わない。
【００２３】
＜ボックス本体３＞
図１〜７に示すように、ボックス本体３は、略直方体状に形成されており、ボックス本体３の前面には、開口３ａがあり、ボックス本体３の後面側は塞がれており、有底状（前面に開口３ａがある有底の略直方体状）に形成されている。
ボックス本体３は、縦板体３１と、左横板体３２Ａと、右横板体３２Ｂの３枚の板体を有している。これら縦板体３１と左右の横板体３２Ａ、３２Ｂを、所定の位置・角度で折り曲げて、互いに接合してボックス本体３を形成できるのであれば、何れの接合手段（接合方法）でも構わないが、例えば溶接等によって、縦板体３１と左右の横板体３２Ａ、３２Ｂを互いに接合する。
ボックス本体３の形状は、その左右方向（略水平方向）の長さが、上下方向（略鉛直方向）の長さよりも長い横長に形成される。
【００２４】
ボックス本体３は、何れの素材によって構成されていても構わないが、その素材は、例えば、鉄や、ＳＵＳ３０４、ＳＵＳ４３０等のステンレス鋼や、炭素鋼であっても良い。
又、ＳＵＳ３０４等のステンレス鋼である場合には、２ＢやＢＡ等の表面処理をしていても構わない。
【００２５】
＜縦板体３１＞
図５、６に示された如く、縦板体３１は、略矩形の板体を、所定の形状にして折り曲げることで、ボックス本体３の下面部材３３と後面部材３４と上面部材３５を構成するものである。
又、縦板体３１は、後面部材３４を構成する部分の左右端部からそれぞれ延設する固定片３６も形成している。
【００２６】
この固定片３６は、ボルト等の固定手段を通す固定孔３６ａと、収容箱１を運ぶ際に把持可能な把持孔３６ｂが形成されている。
尚、下面部材３３の左右端部の縦方向（前後方向）の中途部には、下面部材３３を貫通するケーブル孔３７がそれぞれ設けられている。
【００２７】
＜左横板体３２Ａ、右横板体３２Ｂ＞
図５、６に示された如く、左横板体３２Ａは、略矩形の板体を、所定の形状にして折り曲げることで、ボックス本体３の左面部材（つまり、左面部材３２Ａ）を構成する。
又、右横板体３２Ｂは、略矩形の板体を、所定の形状にして折り曲げることで、ボックス本体３の右面部材（つまり、右面部材３２Ｂ）を構成するものである。
【００２８】
＜シール面３８＞
図１〜３、５〜７に示すように、ボックス本体３前面の開口３ａを囲む位置には、シール面３８が形成されている。
このシール面３８が、ボックス扉４の後面側に当接することで、収容箱１を密閉等して、外部から雨やゴミ等が入ることを防ぐ（抑制する）。
【００２９】
＜ボックス扉４＞
図１〜７に示すように、ボックス扉４は、ボックス本体３の開口３ａを閉じるものであって、ボックス扉４の形状も、その左右方向（略水平方向）の長さが上下方向（略鉛直方向）の長さよりも長い横長に形成されている。
ボックス扉４の略鉛直方向の長さは、ボックス本体３の略鉛直方向の長さより長く、ボックス本体３の開口３ａを閉じた際に、ボックス扉４は、その下端縁がボックス本体３前面の下端縁より下方に位置している。
【００３０】
ボックス扉４は、扉板４Ａに対して、各側板４ａ〜４ｄを有しており、これら各側板４ａ〜４ｄを、所定の位置・角度で折り曲げて、互いに接合してボックス扉４を形成できるのであれば、何れの接合手段（接合方法）でも構わないが、例えば溶接等でも良い。
ボックス扉４も、何れの素材で構成されていても構わないが、その素材は、ボックス本体３と同様に、例えば、鉄や、ＳＵＳ３０４、ＳＵＳ４３０等のステンレス鋼や、炭素鋼であっても良い。
又、ステンレス鋼である場合には、２Ｂ等の表面処理をしていても構わない。
【００３１】
ボックス扉４（扉板４Ａ）の前面は、略面一状に形成されている。
このため、扉の前面に把持する部材（レバー等）や、施錠する部材が設けられていて、スペーサ等の部材が必要になる場合とは異なり、複数の収容箱１を運搬する際でも、そのまま重ねることが可能となり、運搬し易い。
又、収容箱１の運搬の際に、上述した固定片３６の把持孔３６ｂを把持すると、更に運搬し易い。
【００３２】
ボックス扉４の扉板４Ａにおける裏面には、上述したシール面３８と当接するシール部材３９を備えている。
このシール部材３９は、ボックス本体３の開口３ａをボックス扉４で閉じた際に、シール面３８に対応する略矩形状の位置に設けられている。
シール部材３９は、シール面３８と当接して、収容箱１内へ雨等が入るのを防止するのであれば、何れの素材でも構わないが、例えば、天然ゴムや、シリコンゴム、テフロン（登録商標）樹脂、発泡ウレタン（ウレタンフォーム）等の有機材料、皮革、セラミック等の無機材料であっても構わない。
【００３３】
＜回動軸体７＞
図１〜３、５、７に示すように、回動軸体７は、ボックス本体３にボックス扉４を回動自在に取り付けるものであって、回動軸体７自体は、ボックス本体３の開口３ａの上方に固定されている。
回動軸体７の軸心は、略水平方向に延びるように配設されており、これにより、ボックス扉４は、上開きとなる。  
【００３４】
回動軸体７は、ボックス本体３の開口３ａの上方に固定されるものであれば、何れの構成であっても良いが、例えば、蝶番やヒンジ部材等であっても良い。
又、回動軸体７の取付位置は、ボックス本体３の開口３ａ（シール面３８）に対して、ボックス扉４の開く最大角度が、９０度以上（例えば、１００度）となるように設けられていても構わない。
【００３５】
＜ロック手段２１＞
図１〜３に示された如く、ロック手段（ロック部材）２１は、ボックス本体３に対して、その開口３ａを閉じた状態でボックス扉４を保持するものであって、収容箱１に左右側面にそれぞれ１つずつ設けられている。
ロック手段２１は、ボックス本体３の開口３ａを閉じた状態でボックス扉４を保持するものであれば、何れの構成でも良いが、例えば、キャッチクリップ等であっても構わない。
このように、ロック手段２１を、ボックス本体３及びボックス扉４の左右側面に設けることで、ボックス扉４前面に把持部材や、施錠する部材を設ける必要がないため、ボックス扉４前面を略面一状のままに出来、運搬効率の向上に寄与する。
【００３６】
尚、このロック手段２１の少なくとも左右一方に、施錠手段を設けていても良い。
又、ロック手段２１は、上述した構成が実現できるのであれば、何れの素材によって構成されていても構わないが、その素材は、例えば、鉄や、ＳＵＳ３０４、ＳＵＳ４３０等のステンレス鋼や、炭素鋼であっても良い。又、ステンレス鋼である場合には、２Ｂ等の表面処理をしていても構わない。
【００３７】
＜支持具２２＞
図１〜３、７に示されたように、支持具２２は、ボックス本体３の開口３ａを開いた状態でボックス扉４を支持するものであって、ボックス本体３の開口３ａ及びボックス扉４の後面における左右一方側の上部に設けられている。
支持具２２は、ボックス本体３の開口３ａを開いた状態でボックス扉４を支持するものであれば、何れの構成でも良いが、例えば、ステー等であっても構わない。
支持具２２（ステー）は、所定長さだけ伸びた状態を保持するストッパ機構を備えており、このストッパ機構で支持具２２が所定長さで保持されると、ボックス扉４（扉板４Ａ）の前面と、ボックス本体３の上面部材３５の上面が、略同じ高さ位置で、略水平（ボックス扉４のボックス本体３の開口３ａに対して開いた角度が、略９０度）の略面一状となるように、支持具２２が配設されている。
【００３８】
尚、このストッパ機構は、ボックス扉４を、略水平より上に（ボックス扉４のボックス本体３の開口３ａに対して開いた角度が、略９０度より大きくなるように）持ち上げることで、解除される。
又、支持具２２は、上述した構成が実現できるのであれば、何れの素材によって構成されていても構わないが、その素材は、例えば、鉄や、ＳＵＳ３０４、ＳＵＳ４３０等のステンレス鋼や、炭素鋼であっても良い。又、ステンレス鋼である場合には、２Ｂ等の表面処理をしていても構わない。
【００３９】
ここまでは収容箱１を詳解したが、ここからは収容箱１内部にある各電機器２について、電気の流れに沿って述べる（図８参照）。
【００４０】
＜開閉器２３＞
図１〜４、８に示された如く、開閉器２３は、各電源装置Ｄからの電路を開閉（ＯＮ／ＯＦＦ）する電機器である。
開閉器２３は、上述の太陽光発電プラントＰの場合、電源装置（太陽電池）Ｄが直接に接続された太陽電池ストリングＳそれぞれに対して、１つずつ設けられている。
【００４１】
又、開閉器２３は、電源装置Ｄからのコード（導線）や、後述する逆流防止ダイオード８へのコードを接続する接続部（開閉接続部）２３ａを有している。
開閉接続部２３ａは、電源装置Ｄからのコード（導線）を接続する側を電源側（１次側）とし、逆流防止ダイオード８へのコードを接続する側を負荷側（２次側）とする。
開閉接続部２３ａについては、全ての太陽電池ストリングＳを直列に接続する集電器５の端子部５ａより、電圧は低い。
尚、開閉器２３の配設位置は、後面部材３４側に設けているが、収容箱１の内部であれば、何れであっても良い。
【００４２】
＜逆流防止ダイオード８＞
図１〜３、８に示された逆流防止ダイオード８は、各太陽電池ストリングＳの＋極が、逆流防止用ダイオード８を介して、接続されている。
これは、接続箱１に接続された太陽電池ストリングＳ間で、電位差が生じた場合、他よりも電位が低い太陽電池ストリングＳに、電流が逆流するのを防止するためである。
尚、逆流防止用ダイオード８は、アノード（陽極）が、太陽電池ストリングＳの＋極に接続され、カソード（陰極）が、接続箱１側に接続されている。
【００４３】
逆流防止用ダイオード８も、太陽光発電プラントＰの場合であれば、太陽電池ストリングＳそれぞれに対して１つずつ設けられるが、部材としては、２つの逆流防止用ダイオード８を１つに纏めたものであっても良い。
各逆流防止ダイオード８は、収容箱１内であれば、何れに配設されていても良いが、ボックス本体３の上面部材３５内面側に設けられていても良い。
【００４４】
これにより、逆流防止ダイオード８が熱を帯びても、収容箱１内では、熱は上面部材３５付近に留まったままで、これより下方に位置する集電器５や遮断器６等の他の電機器２に熱が伝わることを抑制できる。
又、仮に、逆流防止ダイオード８が熱を帯び、上面部材３５が熱くなったとしても、使用者が近づく際は、上面部材３５は、上開きしたボックス扉４の更に奥手側に位置し、使用者が触れる可能性を低減できる。
【００４５】
＜カバー体９＞
尚、図１〜３に示されたように、カバー体９は、逆流防止ダイオード８を覆うものであって、逆流防止ダイオード８を覆えるのであれば、何れの形状でも良いが、例えば、１つの段差を有した横長の板体（段差板体９）であっても構わない。
このような段差板体９であれば、１枚で複数の逆流防止ダイオード８を覆うことが出来ると共に、段差を挟んだ一方側の板片がボックス本体３の上面部材３５内面の固定用であり、段差そのものが各逆流防止ダイオード８の前方側を覆い、段差を挟んだ他方側の板片が各逆流防止ダイオード８の前方側を覆うことが出来る。
又、取付けも、固定用の板片を上面部材３５に固定するだけで済む。
【００４６】
カバー体９は、何れの素材によって構成されていても良いが、その素材は、例えば、アクリルや、ポリカーボネート、ポリアミド、ポリアセタール、ポリブチレンテレフタレートなどのエンジニアリングプラスチック等の樹脂でも構わない。
又、カバー体９が、透明の樹脂で形成されていれば、カバー体９で覆っていても、逆流防止ダイオード８を視認できる。
【００４７】
このカバー体９によって、使用者が遮断操作等をしている際にあっても、使用者が、上面部材３５や逆流防止ダイオード８に内面側から触れる可能性を、更に低減できる。
又、カバー体９は、逆流防止ダイオード８の前方側と下方側だけでなく、後方側も覆う形状としても構わない。
【００４８】
＜集電器５＞
図１〜３、８に示したように、集電器５は、接続箱１の外部に存在する複数の電源装置（太陽電池）Ｄからの電力を集める電機器である。
集電器５は、各電源装置Ｄからの電力を、端子部（集電端子部）５ａを介して集めており、この端子部５ａは、各電源装置Ｄ（太陽電池ストリングＳ）からのコード（直接には、開閉器２３と逆流防止ダイオード８を介して延びるコード）先端の芯材と、遮断器６へのコード先端の芯材を、導通可能に接続する部分である。
【００４９】
従って、集電器５の端子部５ａとは、各電源装置Ｄからのコード及び遮断器６へのコードにおける先端の芯材と、これらの芯材を接続する金具の両方を合わせて言い、導通させるには、必ず露出した芯材と金具を直接に接触させる必要がある。
集電器５の端子部５ａも、電源装置Ｄからのコードを接続する側を電源側（１次側）とし、遮断器６へのコードを接続する側を負荷側（２次側）とするが、この２次側では、全ての電源装置Ｄ（太陽電池ストリングＳ）の電圧が直列に接続された状態となって、上述した開閉器２３の開閉接続部２３ａより明らかに電圧が高くなる。
又、このように高圧になる集電器５は、収容箱１を設置した後、上述した開閉器２３や後述する遮断器６のように、操作を要する電機器ではなく、又、集電器５は、多くの電源装置Ｄ（太陽電池ストリングＳ）からのコードをまとめているため、通電中に使用者が触れてはならない端子部５ａも多い。更に、集電器５は、電源装置Ｄ（太陽電池ストリングＳ）の本数の変更等の時だけである（通常、一旦設置すれば、本数などに変更はほぼない）ため、使用者の触れる頻度（使用者が接触する可能性）が低い。
【００５０】
そこで、集電器５は、ボックス本体３における後面部材３４側、つまり、ボックス本体３の開口３ａから最も遠い側に設けられている。
集電器５は、その構成に特に限定はないが、例えば、コード先端から露出した芯材をネジ止めで金具に止める端子台や、コードの導通固定が容易なスプリングロック（スプリングクラン）式の金具の端子台であっても良い。
【００５１】
以下、集電器５がスプリングロック式の端子台の場合について述べる。
集電器５は、逆流防止ダイオード８からの電力出力端（＋極）と接続する電力出力端子台５Ａと、開閉器２３からのグランド端（−極）と接続するグランド端子台５Ｂの２つを一対として有している。
これら一対の電力出力端子台５Ａとグランド端子台５Ｂは、何れも形状・構成は同一であるが、赤と青など、一目で判別できるよう、色分けをしていても良い。
【００５２】
各端子台５Ａ、５Ｂは、それぞれが、電源装置Ｄ（太陽電池ストリングＳ）からのコードを接続する電源側（１次側）接続部１１（１１Ａ、１１Ｂ）と、接続された各コードから集まった電力を集めて後述する遮蔽器６へ出力するコードを接続する負荷側（２次側）接続部１２（１２Ａ、１２Ｂ）を備えている。
各端子台５Ａ、５Ｂは、１つの電源側接続部１１の両端に、それぞれ負荷側接続部１２を設けており、電源側接続部１１と各負荷側接続部１２は、それぞれが導通している（例えば、ジャンパを介してコモニング（同極化）する等）。
【００５３】
つまり、集電器５は、電力出力端（＋極）のコード及びグランド端（−極）のコードの全てが１つの電源側接続部１１に接続されて集まった電力を、２つの負荷側接続部１２に分流して出力している。
これにより、電源側接続部１１と各負荷側接続部１２の内部で導通部分（例えば、ジャンパ等）に、高圧がかかっても、実際には、各負荷側接続部１２で２つの電流に分けて出力するため、許容電力が上がることとなる。
尚、集電した電力は、各端子台５Ａ、５Ｂにおける負荷側接続部１２から、それぞれに接続された電力出力端（＋極）のコード及びグランド端（−極）のコードを介して、後述する遮断器６へ接続される。
又、遮蔽器６へ出力するコードは、このように分流しなくとも良い。
【００５４】
＜遮断器６＞
図１〜３、８に示した如く、遮断器６は、集電器５で集めた電力の送電を遮断可能な電機器である。
遮断器６は、上述の太陽光発電プラントＰの場合、電源装置（太陽電池）Ｄの数によらず、１つの収容箱１に対して、通常、１つだけ設けられている。尚、１つの収容箱１に対する遮断器６の個数は、特に限定されていない。
【００５５】
遮断器６も、集電器５からのコード（電力出力端（＋極）のコード及びグランド端（−極）のコード）や、上述した配電盤Ｈへのコードを接続する接続部（遮断接続部）６ａを有している。
遮断接続部６ａは、集電器５からのコードを接続する側を電源側（１次側）とし、配電盤Ｈへのコードを接続する側を負荷側（２次側）とする。
【００５６】
遮断接続部６ａの数は、全ての電源装置Ｄ（太陽電池ストリングＳ）からのコードを纏めた集電器５の端子部５ａの数より非常に少なく、この少ない遮断接続部６ａをカバーするだけで、使用者が触れる可能性をなくすことが出来る。
そのため、遮断器６の配設位置は、収容箱１の内部であれば、特に限定はないとも言えるが、本発明では、遮断器６は、後述する台座１３を用いて、集電器５よりボックス本体３の開口３ａに近い側に設けている。
【００５７】
この台座１３は、遮断器６を集電器５よりボックス本体３の開口３ａに近い側に設けられるのであれば、何れの構成でも良いが、例えば、側面視で略コ字状等に折り曲げた板体を用いても良い。
そこで、以下は、台座１３が、折り曲げた板体である場合について述べる。
【００５８】
台座１３は、１枚の板体から成り、この板体が、遮断器６を支持する略矩形状の支持板１３ａと、この支持板１３ａの４つの角からそれぞれ延設された脚部１３ｂと、それぞれの脚部１３ｂ先端を折り曲げて形成される取付片１３ｃを備えている。
尚、支持板１３ａに対して、各脚部１３ｂが延設される方向は、支持板１３ａの略矩形の縦方向（略矩形の４つの辺において向かい合うある１組の辺に沿った方向）でも横方向（略矩形の４つの辺において向かい合う他の１組の辺に沿った方向）でも良く、収容箱１内の他の電機器２の配置によって、各脚部１３ｂの延設方向は、縦・横が混在しても構わない。
【００５９】
支持板１３ａに対しては、４つの脚部１３ｂ全てが、表面又は裏面の同一方向に折り曲げられ、その折り曲げ角度は略９０°である。
このように折り曲げることによって、支持板１３ａと各脚部１３ｂは、側面視で略コ字状を成すと言える。
【００６０】
各脚部１３ｂに対しては、各取付片１３ｃが、外側又は内側の何れかの方向に折り曲げられ（この折り曲げ方向も、収容箱１内の他の電機器２の配置によって、外・内が混在しても構わない）、折り曲げ角度も略９０°である。
このように折り曲げることによって、脚部１３ｂと取付片１３ｃは、側面視で略Ｌ字状を成すと言える。
【００６１】
このように折り曲げて形成した台座１３は、上述の集電器５を前方側（上）から覆うように被せられ、台座１３の各取付片１３ｃを介して、ボックス本体３の後面部材３４側に取り付けられる。
この取り付けられた台座１３の支持板１３ａの前方側（上）に、遮断器６が固定される。
つまり、遮断器６を集電器５よりボックス本体３の開口３ａ寄りに配設して、集電器５の端子部５ａが前面視で遮断器６に覆われることとなる。
尚、図４は、あえて遮断器６の台座１３を取り外し、集電器５を露出させた状態を表す図である。
【００６２】
このように、遮断器６を集電器５よりボックス本体３の開口３ａ寄りに配設して、集電器５の端子部５ａが前面視で遮断器６で覆われている状態とすることで、端子部５ａが露出することなく、遮断操作をする際、使用者が集電器５の端子部５ａに接触する可能性をなくすことが出来、集電する電圧の高圧化を、感電の怖れなく実現できる（「集電電圧の高圧化」）。
これに加えて、遮断器６を集電器５よりボックス本体３の開口３ａ寄りに配設することで、特許文献１の太陽光発電用接続箱などのように、端子台をはじめ直流開閉器や逆流防止ダイオード等の各電機器を、それぞれ、基板等の後面側に配設しただけ（つまり、各機器から扉の背面までの空間は利用されていなかった（特許文献１の図３、４））の場合よりも、収容箱１内の空間を無駄なく利用できる（「空間利用効率の向上」）と同時に、後面部材３４等が不必要に大きくならない（「後面部材・ボックス扉の小型化」）。
【００６３】
＜避雷器２４＞
図２〜４、８に示された如く、避雷器２４は、落雷によるサージ電圧を逃がす電機器である。
避雷器２４は、電気的には、集電器５と遮断器６の間から分岐して接続されており、上述の太陽光発電プラントＰの場合、電源装置（太陽電池）Ｄの数によらず、１つの収容箱１に対して、通常、１つだけ設けられている。尚、１つの収容箱１に対する避雷器２４の個数も、特に限定されていない。
【００６４】
又、避雷器２４も、集電器５からのコードや、上述した遮断器６へのコードを接続する接続部（避雷接続部）２４ａを有している。
避雷接続部２４ａは、集電器５からのコードを接続する側を電源側（１次側）とし、配電盤Ｈへのコードを接続する側を負荷側（２次側）とする。
【００６５】
避雷接続部２４ａの数は、遮断器６の遮断接続部６ａと同様に、集電器５の端子部５ａの数と比べて非常に少なく、この少ない避雷接続部２４ａをカバーするだけで、使用者が触れる可能性をなくすことが出来る。
尚、避雷器２４の配設位置は、後面部材３４側に設けているが、収容箱１の内部であれば、何れであっても良い。
【００６６】
＜その他＞
本発明は、前述した実施形態に限定されるものではない。収容箱１等の各構成又は全体の構造、形状、寸法などは、本発明の趣旨に沿って適宜変更することが出来る。
ボックス本体３の内部では、後面部材３４の前面や、上面部材３５の下面には、電機器２が、取付板４１を介して取り付けられていても良い。
ボックス本体３は、前面に開口３ａがある有底の略直方体状に形成されるのであれば、縦板体３１、左右の横板体３２Ａ、３２Ｂを、必ずしも有さずとも良く、例えば、下面部材３３、後面部材３４、上面部材３５、左面部材３２Ａ、右面部材３２Ｂ、各固定片３６を、それぞれ別々の板体で構成したり、左面部材３２Ａ、後面部材３４、右面部材３２Ｂを１つの板体で構成し、各固定片３６や、下面部材３３、上面部材３５を、それぞれ別個の板体で構成するなどであっても構わない。
【００６７】
ボックス扉４の上下長さは、必ずしもボックス本体３の上下長さより長くなくとも良く、ボックス扉４の下端縁がボックス本体３前面の下端縁より下方に位置し、且つ、ボックス本体３の開口３ａをボックス扉４で塞げるのであれば、特に、ボックス扉４上端の高さ位置が、ボックス本体３上端の高さ位置と一致していなくとも構わない。
カバー体９は、有さずとも良い。
【００６８】
ロック手段２１は、ボックス本体３の開口３ａを閉じた状態でボックス扉４を保持するものであれば、ボックス本体３とボックス扉４を留める南京錠等であっても構わない。
支持具２２は、ボックス本体３の開口３ａを開いた状態でボックス扉４を支持するものであれば、伸縮せずとも良く、着脱自在な棒状体などであっても構わない。
電源装置Ｄは、太陽電池以外でも、風力、水力、波力等によって回転される発電機（モータ）や、乾電池、蓄電池など、電源（電力）を供給できるものであれば何れの構成であっても良い。又、電源装置Ｄから流れてくる電流は、直流電流、交流電流の何れでも構わない。
【産業上の利用可能性】
【００６９】
収容箱１は、太陽光発電プラント以外に、風力、水力、波力等によって回転される発電機（モータ）によって発電するシステムにおいて使用でき、屋外・屋内を問わず利用可能である。
【符号の説明】
【００７０】
１        収容箱
２        電機器
３        ボックス本体
３ａ      ボックス本体の開口
４        ボックス扉
５        集電器
５ａ      集電器の端子部
６        遮断器
７        回動軸体
３５      ボックス本体の上面部材
８        逆流防止ダイオード
９        カバー体
Ｄ        電源装置
【図１】
2015159673.tif 000003
【図２】
2015159673.tif 000004
【図３】
2015159673.tif 000005
【図４】
2015159673.tif 000006
【図５】
2015159673.tif 000007
【図６】
2015159673.tif 000008
【図７】
2015159673.tif 000009
【図８】
2015159673.tif 000010